(57)【特許請求の範囲】
【請求項１】
小売店の売場に設置され現金決済時に釣銭を払い出す釣銭機と、電子マネー媒体を読み書きして電子マネー決済を制御する電子マネー決済端末とを含む現金管理システムであって、
前記釣銭機内の釣銭準備金の不足金種およびその枚数を含む釣銭準備金不足データを生成するとともに、生成された前記釣銭準備金不足データを前記電子マネー決済端末によって非接触ＩＣタグ内蔵記憶媒体に書き込むことを特徴とする現金管理システム。
【請求項２】
前記釣銭機内の釣銭準備金が不足した際に、不足した旨を表示する表示手段を有することを特徴とする請求項１記載の現金管理システム。
【請求項３】
小売店の事務所等に設置される出金機を備え、
前記出金機は、前記非接触ＩＣタグ内蔵記憶媒体を読み取る手段を有し、前記非接触ＩＣタグ内蔵記憶媒体から読み取られた前記釣銭準備金不足データに対応する現金を出金すること特徴とする請求項１または２記載の現金管理システム。
【請求項４】
小売店の売場に設置され現金決済時に釣銭を払い出す釣銭機と、電子マネー媒体を読み書きして電子マネー決済を制御する電子マネー決済端末とを含む現金管理システムであって、
前記釣銭機から回収される売上金の金種およびその枚数を含む売上金の出金明細データを生成するとともに、生成された前記売上金の出金明細データを前記電子マネー決済端末によって非接触ＩＣタグ内蔵記憶媒体に書き込むことを特徴とする現金管理システム。
【請求項５】
小売店の事務所等に設置され、前記釣銭機から回収された売上金を入金する入金機を備え、
前記入金機は、前記非接触ＩＣタグ内蔵記憶媒体に書き込まれた前記売上金の出金明細データを読み取る手段を有するとともに、入金された貨幣と読み取られた前記売上金の出金明細データとが一致するか否かを確認する確認手段を有することを特徴とする請求項４記載の現金管理システム。
【請求項６】
入金された貨幣と読み取られた前記売上金の出金明細データとが一致しなかった場合に、一致しない旨を報知する報知手段を備えていることを特徴とする請求項４または５記載の現金管理システム。
【請求項７】
前記釣銭機と前記電子マネー決済端末とが一体的に設けられることを特徴とする請求項１ないし６いずれか一記載の現金管理システム。
【請求項８】
前記釣銭機と前記電子マネー決済端末とが別体に設けられることを特徴とする請求項１ないし６いずれか一記載の現金管理システム。
【発明の詳細な説明】
【技術分野】
【０００１】
本発明は、ＰＯＳレジスタの現金を管理する現金管理システムに関する。
【背景技術】
【０００２】
従来、ＰＯＳレジスタの現金を管理する現金管理システムでは、売場に設置されるＰＯＳレジスタと、事務所などに設置される両替機や入出金機とを、管理装置に接続してネットワークを構築している。
【０００３】
そして、例えば、ＰＯＳレジスタの釣銭不足のために両替が必要になったときには、ＰＯＳレジスタにおいて、係員のＩＤカードが読み込まれるとともにＰＯＳレジスタから取り出す現金の両替金出金金額が入力されることにより、ＩＤを含む両替依頼データを管理装置へ送信し、また、管理装置から両替依頼データを受信した両替機において、両替依頼データに基づく適正な現金の入金があることにより、両替金を出金し、両替金出金データを管理装置へ送信し、また、管理装置から両替金出金データを受信したレジスタにおいて、両替金出金データに基づく適正な現金の入金があることにより、入金完了データを管理装置に送信しており、管理装置によってＰＯＳレジスタの現金を統括して管理している（例えば、特許文献１参照。）。
【先行技術文献】
【特許文献】
【０００４】
【特許文献１】特開２００５−２７５８０６号公報（第４−５頁、図１−２）
【発明の概要】
【発明が解決しようとする課題】
【０００５】
しかしながら、従来の現金管理システムでは、ネットワークを構築しているため、システム全体を管理するための管理装置が必要となり、大掛かりなシステムとなる問題がある。
【０００６】
また、係員のＩＤカードを読み込むために専用の入力部を設置しなければならない問題がある。
【０００７】
また、両替時や１日の締め時などの場合、ＰＯＳレジスタ、両替機あるいは入出金機に対して、現金の出金金額や入金金額を手入力しなければならず、手間がかかる問題がある。
【０００８】
本発明は、このような点に鑑みなされたもので、ネットワークによる大掛かりなシステムを構築しなくても現金を管理可能で、管理にあたり専用の機器を用いたり現金に関するデータを手入力する必要がない現金管理システムを提供することを目的とする。
【課題を解決するための手段】
【０００９】
請求項１記載の現金管理システムは、小売店の売場に設置され現金決済時に釣銭を払い出す釣銭機と、電子マネー媒体を読み書きして電子マネー決済を制御する電子マネー決済端末とを含む現金管理システムであって、前記釣銭機内の釣銭準備金の不足金種およびその枚数を含む釣銭準備金不足データを生成するとともに、生成された前記釣銭準備金不足データを前記電子マネー決済端末によって非接触ＩＣタグ内蔵記憶媒体に書き込むものである。
【００１０】
請求項２記載の現金管理システムは、請求項１記載の現金管理システムにおいて、前記釣銭機内の釣銭準備金が不足した際に、不足した旨を表示する表示手段を有するものである。
【００１１】
請求項３記載の現金管理システムは、請求項１または２記載の現金管理システムにおいて、小売店の事務所等に設置される出金機を備え、前記出金機は、前記非接触ＩＣタグ内蔵記憶媒体を読み取る手段を有し、前記非接触ＩＣタグ内蔵記憶媒体から読み取られた前記釣銭準備金不足データに対応する現金を出金するものである。
【００１２】
請求項４記載の現金管理システムは、小売店の売場に設置され現金決済時に釣銭を払い出す釣銭機と、電子マネー媒体を読み書きして電子マネー決済を制御する電子マネー決済端末とを含む現金管理システムであって、前記釣銭機から回収される売上金の金種およびその枚数を含む売上金の出金明細データを生成するとともに、生成された前記売上金の出金明細データを前記電子マネー決済端末によって非接触ＩＣタグ内蔵記憶媒体に書き込むものである。
【００１３】
請求項５記載の現金管理システムは、請求項４記載の現金管理システムにおいて、小売店の事務所等に設置され、前記釣銭機から回収された売上金を入金する入金機を備え、前記入金機は、前記非接触ＩＣタグ内蔵記憶媒体に書き込まれた前記売上金の出金明細データを読み取る手段を有するとともに、入金された貨幣と読み取られた前記売上金の出金明細データとが一致するか否かを確認する確認手段を有するものである。
【００１４】
請求項６記載の現金管理システムは、請求項４または５記載の現金管理システムにおいて、入金された貨幣と読み取られた前記売上金の出金明細データとが一致しなかった場合に、一致しない旨を報知する報知手段を備えているものである。
【００１５】
請求項７記載の現金管理システムは、請求項１ないし６いずれか一記載の現金管理システムにおいて、前記釣銭機と前記電子マネー決済端末とが一体的に設けられるものである。
【００１６】
請求項８記載の現金管理システムは、請求項１ないし６いずれか一記載の現金管理システムにおいて、前記釣銭機と前記電子マネー決済端末とが別体に設けられるものである。
【発明の効果】
【００１７】
請求項１記載の現金管理システムによれば、現金に関するデータをデータ管理用の非接触ＩＣタグ内蔵記憶媒体によって移動させることができ、ネットワークによる大掛かりなシステムを構築しなくても現金を管理することが可能となり、しかも、専用のリーダライタを用いることなく、電子マネー媒体に対して電子マネーでの決済に関するデータを読み書きする既存のリーダライタを用いることができるとともに、現金に関するデータを手入力することがない。
【００１８】
請求項２記載の現金管理システムによれば、請求項１記載の現金管理システムにおいて、釣銭機内の釣銭準備金が不足した際に、不足した旨を表示できる。
【００１９】
請求項３記載の現金管理システムによれば、請求項１または２記載の現金管理システムの効果に加えて、出金機は、非接触ＩＣタグ内蔵記憶媒体から読み取られた釣銭準備金不足データに対応する現金を出金できる。
【００２０】
請求項４記載の現金管理システムによれば、現金に関するデータをデータ管理用の非接触ＩＣタグ内蔵記憶媒体によって移動させることができ、ネットワークによる大掛かりなシステムを構築しなくても現金を管理することが可能となり、しかも、専用のリーダライタを用いることなく、電子マネー媒体に対して電子マネーでの決済に関するデータを読み書きする既存のリーダライタを用いることができるとともに、現金に関するデータを手入力することがない。
【００２１】
請求項５記載の現金管理システムによれば、請求項４記載の現金管理システムにおいて、入金機は、入金された貨幣と読み取られた売上金の出金明細データとが一致するか否かを確認できる。
【００２２】
請求項６記載の現金管理システムによれば、請求項４または５記載の現金管理システムにおいて、入金された貨幣と読み取られた売上金の出金明細データとが一致しなかった場合に、一致しない旨を報知できる。
【００２３】
請求項７記載の現金管理システムによれば、請求項１ないし６いずれか一記載の現金管理システムにおいて、釣銭機と電子マネー決済端末とを一体的に設けることができる。
【００２４】
請求項８記載の現金管理システムによれば、請求項１ないし６いずれか一記載の現金管理システムにおいて、釣銭機と電子マネー決済端末とを別体に設けることができる。
【図面の簡単な説明】
【００２５】
【図１】本発明の第１の実施の形態を示す現金管理システムの構成図である。
【図２】同上現金管理システムで取り扱う現金に関するデータの例を示し、(a)は釣銭準備金補充時の例、(b)は両替時の例、(c)は締め処理時の釣銭準備金の残置明細データの例、(d)は締め処理時の売上金の出金明細データの例である。
【図３】本発明の第２の実施の形態を示す現金管理システムの一部を省略した構成図である。
【発明を実施するための形態】
【００２６】
以下、本発明の実施の形態を、図面を参照して説明する。
【００２７】
図１および図２に第１の実施の形態を示す。
【００２８】
図１に示すように、現金管理システム11は、スーパーマーケットなど小売店の売場に設置されるＰＯＳレジスタ装置12、事務所などに設置される入出金装置13および両替装置14を備えている。これらＰＯＳレジスタ装置12、入出金装置13および両替装置14は、ネットワークによって接続されていないが、互いのデータのやりとりによってＰＯＳレジスタ装置12の現金の管理などが可能となっている。
【００２９】
そして、ＰＯＳレジスタ装置12は、現金決済および電子マネー決済あるいはクレジットカード決済により商品の精算処理を可能とし、現金に関するデータを管理するＰＯＳレジスタ21を備えている。
【００３０】
このＰＯＳレジスタ21には、現金決済時に釣銭を払い出すための自動釣銭機22が接続されている。この自動釣銭機22は、現金として紙幣および硬貨が取り扱え、顧客から受け取った現金や両替用および補充用の現金などの入金と、釣銭や例えば１日の締めで回収する現金などの出金が可能となっており、入金する現金を識別して金種別に分類収納するとともに金種別に現金を払い出し可能となっている。この自動釣銭機22に収納されている現金の金種別の収納量データが自動釣銭機22およびＰＯＳレジスタ21で管理されている。
【００３１】
自動釣銭機22には、電子マネー決済センター23と通信し、電子マネーでの決済を制御する電子マネー決済端末24が設けられている。この電子マネー決済端末24には、非接触ＩＣを内蔵した電子マネーカードや携帯電話などの電子マネー媒体に対して、電子マネーでの決済に関するデータを読み書きする非接触式のリーダライタ25が接続されている。
【００３２】
このリーダライタ25は、このリーダライタ25にかざされて読み取られた特定のデータ管理用の非接触ＩＣタグ内蔵記憶媒体（以下、データ管理用ＩＣカードと呼ぶ）に対して、ＰＯＳレジスタ21で管理する現金に関するデータ（以下、現金データと呼ぶ）を読み書きする機能を有している。この現金データとしては、釣銭準備金の補充時における釣銭準備金の不足金種および不足金種の金額データ、両替時における両替金額データ、締め時における残置する釣銭準備金の明細データおよび売上金の出金明細データなどであり、電子マネーでの決済に関するデータと関係のないデータである。
【００３３】
また、入出金装置13は、現金の入金、出金が可能な入出金機31を備え、この入出金機31にデータ管理用ＩＣカードに対してデータを読み書きするリーダライタ32が接続されている。入出金機31は、リーダライタ32でデータ管理用ＩＣカードを読み取って現金の入出金処理をする機能を有している。
【００３４】
また、両替装置14は、現金の入金、出金が可能な両替機41を備え、この両替機41にデータ管理用ＩＣカードに対してデータを読み書きするリーダライタ42が接続されている。両替装置14は、リーダライタ42でデータ管理用ＩＣカードを読み取って現金の両替処理をする機能を有している。
【００３５】
次に、現金管理システム11の運用について説明する。
【００３６】
まず、通常のＰＯＳレジスタ21の運用について説明する。
【００３７】
ＰＯＳレジスタ21では、現金決済、電子マネー決済、あるいはクレジットカード決済のいずれかによって、商品の精算処理をする。
【００３８】
現金決済の場合には、顧客から商品の代金として受け取った現金を係員が確認してＰＯＳレジスタ21に入力し、釣銭の必要な場合には自動釣銭機22から釣銭を自動的に払い出す。あるいは、顧客から商品の代金として受け取った現金を自動釣銭機22に入金してこの自動釣銭機22で識別し、釣銭の必要な場合には自動釣銭機22から釣銭を自動的に払い出す。そして、自動釣銭機22内の現金の金種別の収納量データを更新して管理する。
【００３９】
電子マネー決済の場合には、顧客が電子マネー媒体をリーダライタ25にかざし、この電子マネー媒体をリーダライタ25で読み取って電子マネー決済端末24により決済する。
【００４０】
クレジットカード決済の場合には、顧客から受け取ったクレジットカードを係員がＰＯＳレジスタ21のカードリーダに通して決済する。
【００４１】
次に、自動釣銭機22内の釣銭準備金が不足した場合の釣銭準備金の補充について説明する。
【００４２】
この釣銭準備金とは、釣銭用に自動釣銭機22内に残置しておく金種別の現金であり、金種別の釣銭準備金量が予め設定されている。
【００４３】
自動釣銭機22内の釣銭準備金が予め設定された釣銭準備金量より不足している状態では、それを確認しているＰＯＳレジスタ21や自動釣銭機22で表示する。この表示を確認した係員により釣銭準備金を補充することになる。
【００４４】
係員がデータ管理用ＩＣカードをＰＯＳレジスタ21のリーダライタ25にかざす。
【００４５】
このデータ管理用ＩＣカードをリーダライタ25で読み取り、データ管理用ＩＣカードであることを確認する。その確認がとれれば、例えば、図２(a)に示すように、予め設定されている釣銭準備金に対して自動釣銭機22内にある現在の釣銭準備金の不足金種およびその枚数、合計金額、係員コード（店員コード）などを含む釣銭準備金不足データを求め、この釣銭準備金不足データをリーダライタ25によってデータ管理用ＩＣカードに自動的に書き込む。なお、釣銭準備金の補充であることを確実に指令するために、ＰＯＳレジスタ21に設けられた釣銭準備金確認ボタンを押下した後、データ管理用ＩＣカードをリーダライタ25にかざすようにしてもよい。
【００４６】
その書き込み完了後、係員はデータ管理用ＩＣカードを持って事務所の入出金機31の設置場所に行き、入出金機31のリーダライタ32にデータ管理用ＩＣカードをかざす。
【００４７】
このデータ管理用ＩＣカードをリーダライタ32が読み取り、データ管理用ＩＣカードであること、および釣銭準備金不足データを確認する。それらの確認がとれて釣銭準備金不足データを取得すれば、入出金機31から釣銭準備金不足データに対応した釣銭準備金補充分の現金を自動的に出金し、釣銭準備金補充分出金データをリーダライタ32によってデータ管理用ＩＣカードに自動的に書き込む。
【００４８】
その書き込み完了後、係員は入出金機31から出金された釣銭準備金補充分の現金およびデータ管理用ＩＣカードを持って売場のＰＯＳレジスタ21の設置場所に戻り、ＰＯＳレジスタ21のリーダライタ25にデータ管理用ＩＣカードをかざし、釣銭準備金補充分の現金を自動釣銭機22に入金する。
【００４９】
データ管理用ＩＣカードをリーダライタ25で読み取り、データ管理用ＩＣカードであること、および釣銭準備金補充分出金データを確認する。それらの確認がとれれて釣銭準備金補充分出金データを取得すれば、自動釣銭機22に入金された現金と釣銭準備金補充分出金データとを確認し、一致すれば補充完了となり、一致しなければ報知するなどのエラー処理をする。
【００５０】
次に、自動釣銭機22内にある現金を両替する場合について説明する。
【００５１】
この両替は、例えば、自動釣銭機22内のある金種の釣銭準備金が予め設定された釣銭準備金量より不足している状態で、他の金種の釣銭準備金の両替によって不足を解消可能な場合に可能としている。
【００５２】
係員が、両替であることを指令するためにＰＯＳレジスタ21に設けられた両替確認ボタンを押下し、両替のために出金する金種およびその枚数を入力し、データ管理用ＩＣカードをリーダライタ25にかざす。
【００５３】
このデータ管理用ＩＣカードをリーダライタ25で読み取り、データ管理用ＩＣカードであることを確認する。その確認がとれれば、入力された両替用の現金を自動釣銭機22から自動的に出金し、例えば、図２(b)に示すように、両替金種およびその枚数、合計金額、係員コード（店員コード）などを含む両替要求データをリーダライタ25によってデータ管理用ＩＣカードに自動的に書き込む。
【００５４】
その両替用の現金の出金および書き込み完了後、係員は自動釣銭機22から出金された両替用の現金およびデータ管理用ＩＣカードを持って事務所の両替機41の設置場所に行き、両替機41のリーダライタ42にデータ管理用ＩＣカードをかざし、両替用の現金を両替機41に入金する。
【００５５】
このデータ管理用ＩＣカードをリーダライタ42が読み取り、データ管理用ＩＣカードであること、および両替要求データを確認する。それらの確認がとれて両替要求データを取得すれば、さらに、両替機41に入金された両替用の現金と両替要求データとを確認し、その確認もとれれば、両替要求データの金種から予め設定された金種に両替する現金を自動的に出金し、この出金した両替分出金データをリーダライタ42によってデータ管理用ＩＣカードに自動的に書き込む。
【００５６】
その書き込み完了後、係員は両替機41から出金された両替分の現金およびデータ管理用ＩＣカードを持って売場のＰＯＳレジスタ21の設置場所に戻り、ＰＯＳレジスタ21のリーダライタ25にデータ管理用ＩＣカードをかざし、両替分の現金を自動釣銭機22に入金する。
【００５７】
データ管理用ＩＣカードをリーダライタ25で読み取り、データ管理用ＩＣカードであること、および両替分出金データを確認する。それらの確認がとれて両替分出金データを取得すれば、さらに、自動釣銭機22に入金された現金と両替分出金データとを確認し、一致すれば両替完了となり、一致しなければ報知するなどのエラー処理をする。
【００５８】
次に、例えば１日の締め処理について説明する。
【００５９】
この締めでは、自動釣銭機22内に予め設定された釣銭準備金を残置し、それ以外の売上金を回収する。
【００６０】
係員が、ＰＯＳレジスタ21で締めを指令し、データ管理用ＩＣカードをＰＯＳレジスタ21のリーダライタ25にかざす。
【００６１】
このデータ管理用ＩＣカードをリーダライタ25で読み取り、データ管理用ＩＣカードであることを確認する。その確認がとれれば、例えば、図２(c)に示すように、自動釣銭機22に残置する予め設定されている釣銭準備金の金種およびその枚数、合計金額、係員コード（店員コード）などを含む釣銭準備金の残置明細データと、図２(d)に示すように、自動釣銭機22に残置する釣銭準備金を除いた売上金の金種およびその枚数、合計金額、係員コード（店員コード）などを含む売上金の出金明細データを求め、これら釣銭準備金の残置明細データおよび売上金の出金明細データをリーダライタ25によってデータ管理用ＩＣカードに自動的に書き込む。
【００６２】
その書き込み完了後、係員は自動釣銭機22から出金された回収分の現金およびデータ管理用ＩＣカードを持って事務所の入出金機31の設置場所に行き、入出金機31のリーダライタ32にデータ管理用ＩＣカードをかざし、回収分の現金を入出金機31に入金する。
【００６３】
このデータ管理用ＩＣカードをリーダライタ32が読み取り、データ管理用ＩＣカードであること、釣銭準備金の残置明細データおよび売上金の出金明細データを確認する。それらの確認がとれて各データを取得すれば、入出金機31に入金された回収分の現金と売上金の出金明細データとを確認し、一致すれば締め処理の完了となり、一致しなければ報知するなどのエラー処理をする。
【００６４】
このように、ＰＯＳレジスタ21の現金データをデータ管理用ＩＣカードによって移動させることができ、ネットワークによる大掛かりなシステムを構築しなくてもＰＯＳレジスタ21の現金を管理することが可能となり、しかも、専用のリーダライタを用いることなく、電子マネー媒体に対して電子マネーでの決済に関するデータを読み書きする既存のリーダライタ25を用いることができるとともに、現金データを手入力することなく、必要なデータをデータ管理用ＩＣカードに対して読み書きできる。
【００６５】
また、リーダライタ25でデータ管理用ＩＣカードを読み取ることにより、そのデータ管理用ＩＣカードに現金データを書き込むようにすれば、特別な操作をすることがなく、操作性を向上できる。
【００６６】
また、ＰＯＳレジスタ21の現金データをデータ管理用ＩＣカードによってＰＯＳレジスタ21と入出金機31との間、および両替機41との間で移動でき、ネットワークによる大掛かりなシステムを構築しなくてもＰＯＳレジスタ21の現金を管理することが可能となり、しかも、入出金機31のリーダライタ32、および両替機41のリーダライタ42でデータ管理用ＩＣカードを読み取れるため、現金データを手入力する手間がかからず、現金の入出金処理、および両替処理ができる。
【００６７】
また、入出金機31と両替機41との間で現金を移動させる場合にも、データ管理用ＩＣカードを利用することによって現金の移動を管理できる。
【００６８】
また、電子マネー決済端末24を自動釣銭機22に設けることにより、自動釣銭機22で現金、電子マネーの両方の決済データを管理できる。
【００６９】
ただし、図３の第２の実施の形態に示すように、電子マネー決済端末24を自動釣銭機22とは別体に設け、ＰＯＳレジスタ21に接続するようにしてもよい。
【００７０】
本実施の形態では、データ管理用の非接触ＩＣタグ内蔵記憶媒体として、ＩＣカードを例に挙げて説明したが、これに限定されるものではなく、携帯電話等の記憶領域を持つ非接触ＩＣタグが内蔵されている媒体であればなんでもよい。
【符号の説明】
【００７１】
11    現金管理システム
22    釣銭機としての自動釣銭機
24    電子マネー決済端末
31    入金機および出金機としての入出金機
【図１】
0005529993.tif 000002
【図２】
0005529993.tif 000003
【図３】
0005529993.tif 000004